(57)【要約】【課題】使い捨て物体（５５）または材料を可撓性材料の細長いチューブ（１８）の中に詰めるための装置（１０）を提供する。【解決手段】装置は、可撓性の広げることのできる材料（１８）のカセット（１７）を受け入れるようになっているホルダー（１５）を有するビン（１）を構成する。閉鎖機構（２５）は、ホルダーの下に配置される。閉鎖機構（２５）は、第１の部分（２７）及び第２の部分（３１）を含む。第２の部分（３１）は、閉位置で第１の部分に付勢される。第２の部分（３１）は、受け面（３４）を有し且つ受け面（２８，３４）に対して実質的に下向きの力（５６）の付与により、閉位置から開位置まで摺動でき且つ付勢力の作用で開位置から閉位置まで摺動できる。開位置での閉鎖機構（２５）は、ビン（１）の頂部開口（１３）と筐体（２）の底部分（５）との間に通路を構成し、且つ閉位置で通路を閉じる。【選択図】図１
2009520658.tif 000002
【特許請求の範囲】
【請求項１】
少なくとも一つの使い捨て物体を可撓性材料の細長いチューブの中に詰めるための装置であって、
詰められるべき少なくとも一つの使い捨て物体を受け入れるための開口を頂部に画成した筐体を構成するビンと、
細長いフィルムチューブを提供する可撓性の広げることのできるフィルムのカセットを受け入れるようになっている、開口に隣接するビン内のホルダーと、
ホルダーの下に配置され、且つ第１及び第２の部分を含む閉鎖機構とを含み、第２の部分は、閉位置で第１の部分に押し付けられ且つ少なくとも一つの使い捨て物体を受けるための受け面を構成し、第２の部分は、受け面に対して実質的に垂直な力の付与により閉位置から開位置まで摺動でき且つ付勢手段の作用で開位置から閉位置まで摺動でき、
開位置での閉鎖機構は、ビンの開口と閉鎖機構の下に配置された筐体の底部分との間に通路を構成し、閉位置での閉鎖機構は、前記通路を閉じる、ことを特徴とする装置。
【請求項２】
第１の部分は、ビンに関して不動に保持されることを特徴とする、請求項１に記載の装置。
【請求項３】
第１の部分は、ホルダーの底部分に連結されることを特徴とする、請求項２に記載の装置。
【請求項４】
付勢手段は、第１の部分と第２の部分とを相互に連結する少なくとも一つのばねを含むことを特徴とする、請求項１に記載の装置。
【請求項５】
第１の部分は、湾曲され且つ第１の丸頂点を構成し、第２の部分は、湾曲され且つ第２の丸頂点を構成し、第１の頂点は、第２の部分に向って延び、第２の頂点は、第１の部分に向って延びていることを特徴とする、請求項１に記載の装置。
【請求項６】
閉位置で第２の頂点は、第１の丸頂点の下で第１の部分に接触することを特徴とする、請求項５に記載の装置。
【請求項７】
第２の部分は、ホルダーに連結された支持装置によって摺動可能に支持されることを特徴とする、請求項１に記載の装置。
【請求項８】
ホルダーは、ビンの外壁から内方に延びている第１の環状フランジと、第１の環状フランジの内側端から下方に延びているチューブ壁と、チューブ壁の底端部から内方に延びている第２の環状壁と、
を含み、かくしてカセットを受けるための座を形成することを特徴とする、請求項１に記載の装置。
【請求項９】
ビンは、互いにヒンジにより連結された頂部分と底部分とを含み、閉鎖機構が頂部分に連結されることを特徴とする、請求項１に記載の装置。
【請求項１０】
第２の部分の受け面は、交互になっている丸峰部と丸谷部とを有し、第１の部分は、第２の部分と接触し且つそれとの噛み合い関係のために配置される、その少なくとも一部分に交互になっている丸峰部と丸谷部とを有する、ことを特徴とする請求項１に記載の装置。
【請求項１１】
第２の部分は、水平面に関して下方に傾けられた方向に沿って摺動可能であることを特徴とする請求項１に記載の装置。
【請求項１２】
第１の部分は、湾曲され且つ第１の丸頂点を構成し、第２の部分は、湾曲され且つ第２の丸頂点を構成し、第１の頂点は、第２の部分に向って延び、第２の頂点は、第１の部分に向って延びており、閉位置で第２の頂点は、第１の丸頂点の下で第１の部分に接触し、その結果、丸頂点の下部の第２の部分の湾曲部分は、それに接触して支持される使い捨て物体に下向きの押力を与えることを特徴とする、請求項１１に記載の装置。
【請求項１３】
方向は、水平面と約４０°の角度をなしていることを特徴とする、請求項１１に記載の装置。
【請求項１４】
ビンの開口は、開口に漏斗効果を生じさせるために下向きの傾斜を有する着脱可能なリングによって取り囲まれることを特徴とする、請求項１に記載の装置。
【請求項１５】
少なくとも一つの使い捨て物体を可撓性材料の細長いチューブの中に詰めるための装置であって、
頂部分に画成された開口を有するビンと、
ビンの頂部分に隣接して配置されたカセットホルダーと、
カセットホルダーに受け入れられた可撓性材料の広げるのできるチューブの取外し可能なカセットと、を含み、チューブは、カセットから引張られ、且つ細長いチューブ内に少なくとも一つの使い捨て物体を受けるために開口と整合された開口頂部端を有する長さが増加した細長いチューブのための閉鎖底を形成するように取り付けられ、
ホルダーの下に配置された閉鎖機構を更に含み、該閉鎖機構は、閉位置に付勢され、且つ少なくとも一つの使い捨て物体を閉鎖機構に押し付けることによって閉位置と開位置との間を摺動できる少なくとも一つの可動部分を含み、閉位置での閉鎖機構は、細長いチューブの一部分を閉鎖機構より下の細長いチューブの残りの部分から密封するように可撓性材料を挟み、開位置での閉鎖機構により、使い捨て物質を閉鎖機構より下のビン内に押し入れる、ことを特徴とする装置。
【請求項１６】
固定部分を更に含み、可動部分が少なくとも一つのばねによって固定部分に向って付勢されることを特徴とする、請求項１５に記載の装置。
【請求項１７】
可動部分は、湾曲され且つ丸頂点を構成し、閉位置での可動部分は、頂点と閉鎖機構の固定部分との間で細長いチューブを挟むことを特徴とする、請求項１５に記載の装置。
【請求項１８】
ホルダーは、ビンの外壁から内方に延びている第１の環状フランジと、第１の環状フランジの内側端から下方に延びているチューブ壁と、チューブ壁の底端部から内方に延びている第２の環状壁と、
を含み、かくしてカセットを受けるための座を形成することを特徴とする、請求項１５に記載の装置。
【請求項１９】
可動部分は、水平面に関して傾けられた方向に沿って摺動できることを特徴とする請求項１５に記載の装置。
【請求項２０】
方法は、水平面と約４０°の角度をなしていることを特徴とする、請求項１９に記載の装置。
【請求項２１】
装置の筐体は、臭気の蓄積を防止するために換気開口を備えていることを特徴とする、請求項１または１５に記載の装置。
【発明の詳細な説明】
【技術分野】
【０００１】
本発明は、使い捨て材料又は物体を可撓性プラスチックフィルム材料のチューブの中に詰めるための装置に関する。より具体的には、本発明は、廃物、例えば、赤ちゃんの使い捨ておむつ、または他の種類の適当な物体或いは材料を、可撓性プラスチックフィルム材料のチューブの中へ詰めるために、且つそれが回収されるまで、そのように詰められた廃物を、衛生的な方法で且つ実質的に匂わない方法で、保管するために用いる装置に関する。
【背景技術】
【０００２】
上記種類の既知の装置は、一般に、処分されるべき廃物が挿入される開放或いは開放可能な上部分と、処分された廃物が保管される底部分と、を有する容器を含む。リング形のカセットが、容器の上部分に取付けられ、且つ、可撓性プラスチックフィルム材料のチューブを、ひだの形で収容し、該チューブは、細長いチューブの中に形成され、そして底端が結ばれ且つ廃物がチューブに挿入されて一時的に保管される。
【０００３】
使用中、処分されるべき廃物は、容器の上部分でチューブの中に挿入され、次いで、チューブ及び廃物は、保管目的でカセットの開放中央部から容器の底部分に向って押される。また、カセットより下でチューブを閉じ、かくして、保管中、悪臭がチューブから漏れるのを防止するための閉鎖可能な手段が設けられる。
【０００４】
カナダ特許第１，２９８，１９１号には、これらの閉鎖可能な手段が、保管される間密封状態に保たれる連続的な“小袋”を形成するようにチューブを一定の間隔で捻るために円筒の回りに蓋によって回転させることができるコア（芯）として開示される。
【０００５】
カナダ特許公開公報第２，３８３，７９９号には、絞りデバイスが、カセットからチューブを引張ってチューブを容器の中に挿入される物体と一緒に下方へ移動させるために、カセットより下で容器に取付けられる。この絞りデバイスは、一対の向い合った回転可能な部材を含み、チューブがそれらの間に挿入される。回転可能な部材は、チューブを絞り、処分されるべき他の物体が容器の上部分の中に挿入されるまでチューブを閉じた状態に保ち、かつチューブを引き下げて保管目的でチューブを形成しているプラスチックフィルム及びチューブに収納された物体を容器の底部分に向って移動させるためにチューブに対して横方向に延びる複数の向い合ったバーを有する。プラスチックフィルムチューブの要求された絞り、閉鎖、及び引き下げを達成する、同時且つ反対方向の回転可能な部材の作動が、好ましくは、容器の一部であるレバーの作動によって得られる。
【０００６】
カナダ特許公開公報第２，４４１，８３７号には、処分されるべき物体を圧縮して、物体をチューブの中へ押し入れて容器の底部に押すためのプランジングデバイスが設けられる。プランジングデバイスは、回動フラップを取付けた二つのアームと、向い合っている回動可能なスライドと、を含む。
【０００７】
これら従来技術のデバイスの全ては、いくつかの欠点を有する。それらの機構は、多くの部品を有し且つ破損しやすい。また、これらのデバイスは、使い勝手が悪く、最初に購入したときにその操作を理解することが難しい。それらのデバイスは、製造するコストが掛かり、使用コストに加わる、カセットから過剰のフィルムを利用する。また、それらのデバイスのあるものは、処分された材料の臭気を効果的に収容しない。
【発明の開示】
【発明が解決しようとする課題】
【０００８】
従って、本発明の目的は、使い捨て物体の使用が容易である可撓性プラスチックフィルム材料の細長いチューブの中に詰めるための改良装置を提供することにある。
【０００９】
また、本発明の目的は、使い捨て物体を可撓性プラスチックフィルムの細長いチューブの中に詰めるための改良装置であって、組立が簡単で、可動部分の少ない装置を提供することにある。
【００１０】
本発明の更なる目的は、上述した従来技術よりも少ない量の可撓性プラスチックフィルムパッキング材料を用いることができる、使い捨て物質を細長いチューブの中に詰めるための改良装置を提供することにある。
【００１１】
本発明の他の目的は、上述したような、細長いチューブに詰められた使い捨て物質から放出される臭気の蓄積を防止する装置を提供することにある。
【課題を解決するための手段】
【００１２】
従って、本発明の広汎な形態によれば、少なくとも一つの使い捨て物体を可撓性材料の細長いチューブの中に詰めるための装置を提供する。装置は、詰められるべき少なくとも一つの使い捨て物体を受け入れるための、頂部に画成された開口を有する筐体を構成するビン（蓋付きの箱）を含む。ホルダーが開口に隣接してビン内に設けられる。ホルダーは、細長いフィルムチューブを提供する可撓性の広げることのできるフィルムのカセットを受け入れるようになっている。閉鎖機構が、ホルダーの下に配置され、そして第１の部分と第２の部分とを含む。第２の部分は、第１の部分に対して閉位置に付勢され且つ少なくとも一つの使い捨て物体を受けるための受け面を構成する。第２の部分は、受け面に対して実質的に垂直な下向きの力の付与により閉位置から開位置まで摺動でき、付勢手段の作用で開位置から閉位置まで摺動できる。開位置での閉鎖機構は、ビンの開口と閉鎖機構の下に配置された筐体の底部分との間に通路を構成する。閉位置での閉鎖機構は、通路を閉じる。
【００１３】
また、本発明の更なる広汎な形態によれば、少なくとも一つの使い捨て物体を可撓性材料の細長いチューブの中に詰めるための装置を提供する。装置は、頂部分に画成された開口を有するビンを含む。カセットホルダーがビンの頂部分に隣接して配置される。可撓性材料の広げることのできるチューブの、着脱可能なカセットが、カセットホルダーに受け入れられる。チューブは、カセットから引張ることができ、少なくとも一つの使い捨て物体を細長いチューブ内に受け入れるために開口と整合された開口頂端を有する長さの増した細長いチューブのための閉鎖底部を形成するように取付けられる。閉鎖機構は、ホルダーの下に配置され、そして閉位置に付勢され且つ少なくとも一つの使い捨て物体を閉鎖機構に押し付けることによって閉位置と開位置との間で摺動できる少なくとも一つの可動部分を含む。閉位置での閉鎖機構は、細長いチューブを閉鎖機構より下の細長いチューブの残りの部分から密封するように可撓性材料を挟む。閉鎖機構により、開位置で、使い捨て物体を閉鎖機構より下でのビン内に押し入れることができる。
今、添付図面を参照して、本発明の好ましい実施形態を説明する。
【発明を実施するための最良の形態】
【００１４】
図１ないし図２を参照すると、使い捨て物体を可撓性プラスチックフィルム材料の細長いチューブ１８に詰めるための装置１０が示されている。装置１０は、ヒンジ部材７によって互いにヒンジ的に連結された頂部分３及び底部分５を有するビン１を含み、頂部分３の外壁４及び底部分５の外壁６がビン１の筐体２を構成する。図示した実施形態では、頂部分３及び底部分５は、実質的に同じ高さを有し、それにより、ヒンジ部材７は、ビン１のほぼ中間の高さに配置される。また、頂部分３に取付けられ且つ以下に述べるいろいろな要素が二つの部分３、５の間の回動運動の邪魔をしない限り、代替構成も可能である。係る代替構成は、例えば、ビン１の大部分を形成する頂部分３と、小さい部分を形成する底部５分と、を含む。
【００１５】
頂部分３と底部分５は、ヒンジ部材７の反対側に配置された、押しボタンラッチ９のような機構により互いにロックされる。押しボタンラッチ９の作動時、頂部分３と底部分５は連結が外れ、筐体２にアクセスするために、例えば、ビン１を空にするために、ヒンジ部材７を中心に回動することができる。
【００１６】
頂部分３は、使い捨て物体を受け入れるための開口１３を画成し、ビン１は、開口１３へのアクセスを選択的に開閉するように頂部分３にヒンジ的に連結された蓋１１を更に含む。図示したこの実施形態では、装置は一般な円形開口１３を有するが、本発明は、円形開口に限定されないし、異なる形状の開口で機能することができる。
【００１７】
図１ないし図２を更に参照すると、装置１０は、また、可撓性の広げられるプラスチックフィルムチューブ１８のカセット１７を保持するために開口１３に隣接して頂部分３内に配置されたホルダー１５を含み、カセット１７は、一般的にビン開口１３と整合される中央開口１９を有する。カセット１７は、頂部分２１及び底部分２３を有し、可撓性チューブ１８が頂部分２１から底部分２３に向って且つこれを越えて出ている。係るカセットは、この技術分野でよく知られており、折り畳まれる一定長さの可撓性プラスチックフィルム材料（例えば、米国特許出願ＵＳ２００３／０１２１９２３号に示すようなカセットを参照）を本質的に含むということが理解されるであろう。しかしながら、臭気をさらによく封じ込めるために、フィルム材料が、臭気がフィルム材料に浸透しないように臭気障壁を有する多層フィルムであることが好ましい。
【００１８】
図示した実施形態では、ホルダー１５は、頂部分３の外壁４の頂部から内方に延びる頂部環状フランジ１２を含む。チューブ状の垂直壁１４は、頂部環状フランジ１２の内端から下方に延びている。底部環状フランジ１６は、チューブ状の垂直壁１４の底端から内方に延び、かくして、カセット１７は、その頂部分２１がビン１の頂部と実質的に整合されて支持される座を構成する。底部環状フランジ１６は、可撓性チューブ１８の移動妨害を回避するためにカセット１７の中央開口１９を実質的に邪魔することなく延びている。また、ホルダー１５は、多くの代替形状及び形式を取ってもよいということが理解されるであろう。変形の形態では、ホルダー１５は、開口１３を取り囲み、カセット１７の頂部分２１が載る、水平フランジであってもよい。また、カセット１７の他の形式及び形状を本発明で用いることができ且つそのようにホルダー１５は、用いられるカセットの種類に適応されるいかなる変形の構成を取ることができるということも理解されるであろう。
【００１９】
再び、図１ないし図２を参照すると、装置１０は、閉鎖機構２５を更に含み、その目的は、開閉機構の下に延び、且つ臭気が可撓性チュービング１８から逃げるのを防ぐ可撓性チューブへのアクセスを提供することにある。使用の一つの形態では、閉鎖機構２５は、可撓性チュービング１８を引き出すために使い捨て物体をチューブの底部に押し下げることを可能にする。注目すべき一つの側面は、可撓性チューブ１８が閉鎖機構２５を通り越し、それにより、機構２５を詰められるべき使い捨て物体から隔離し、機構１５の一定のクリーニング（洗浄）の必要性を減じることである。これに関して、本発明の装置１０についての好ましい使用の一つは、赤ちゃんのおむつの処分であるということが理解されるであろう。
【００２０】
閉鎖機構２５は、ホルダー１５の底部環状フランジ１６の下に堅く連結された一般的に“Ｃ”字形の部材からなる、固定部分２７を含む。また、ホルダー１５或いは頂部分３の他の部分に連結された更なる支持部材との連結を含む、変形例の種類の連結が固定部分２７について可能である。湾曲固定部分２７は、図７でも見られるように、開口１３の中へ突出する丸頂点２９を構成する。固定部分２７は、閉鎖機構２５の可動部分３１に向って下方に傾むけられた受け面２８を構成する。
【００２１】
また、閉鎖機構２５の可動部分３１は、一般的に“Ｃ”字形の内側断面であり、且つ装置１０の開口１３を一般的に閉じるように図１ないし図２に示した、閉位置で固定部分２７に押し付けられる。湾曲した可動部分３１は、また図７でも見ることができるように、開口１３の中に突出する丸頂点３２を構成する。可動部分３１は、固定部分２７に向って下方に傾むけられた受け面３４を構成し、二つの受け面２８、３４がその間に物体を指し向ける“Ｖ”字形を形成する。閉位置では、二つの部分２７、３１の間の接触は、図示した実施形態では、可動部分の頂点３２と頂点２９の下に配置された固定部分の底部との間である。これらの部分は、使用者の手に快適を与えるように波形である。また、それは、その間に係合され又は挟まれたプラスチックフィルムチューブ１８の良好なシーリングをもたらす。
【００２２】
可動部分３１は、ホルダー１５から、例えば、底部フランジ１６から、下方に延びる一対の離間した、一般的に垂直な壁３９を含む支持体３５によって摺動自在に支持され、開口１３は壁３９間に整合される。壁３９の各々は、底部傾斜縁４０を有する。図示した実施形態では、固定部分２７と一体であるが、変形例としてそれから独立でもよい、底片４１は、二つの壁３９の底部縁４０を相互連結する。底片４１は、一端が固定部分２７に連結され且つ他端が横部材４５（図２を参照）によって相互連結された二つの壁部材４３を含む実質的にU字形を有する。各壁部材４３は、その間に傾斜した細長いスロット３７を画成するために壁３９の一つの底部縁４０に連結される。他の動作角度が適当な変更により本発明の目的に合わせることができるが、図示した実施形態では、スロット３７は、水平に対して約４０°傾けられる。
【００２３】
特に図２を参照すると、可動部分３１は、そこから延びていてスロット３７に係合する整合ピン４７を含み、その結果、可動部分３１は、スロット３７によって定められた角度方向に沿って摺動自在に移動できる。横部材４５と固定部分２７との間の距離は、可動部分３１が、使い捨て物体５５を固定部分２７と可動部分３１の間を通すのに十分な、閉位置と開位置（図４に示す）との間を移動することができるようなものである。
【００２４】
図２に示すように、細長いつる巻きばね４９は、閉位置で可動部分３１を付勢するように、可動部分３１の二つのピン４７の間に連結され且つピン４７巻にそして固定部分２７の背部の回りに延びている。固定部分２７の背部の凹面形状は、ばね４９をスロット３７によって定められた平面に整合維持するのを助ける。
【００２５】
変形例として、固定部分２７は、可動部分３１と反対に移動できる部分によって置き換えることができ、その二つは、閉位置で互いに付勢される。係る形態は、形態が図示した可動部材３１と類似する二つの“C”字形の部材、二つのローラー、等のような、二つの摺動部材であり、摺動部材ば、それらの間の接触点に定められた垂直軸を中心に互いに対称であり、物体を下方に押すとき互いに離れるように摺動でき、そして例えば、一つ或いは複数のばねによって相互連結されることによって互いに付勢される。しかしながら、係る機構は、更なる部品を含み、信頼できない。
【００２６】
使用者が使い捨て物体５５を正しく置くのを助けるために、装置は、さらに有利には、カセット１７の上に取外し自在に設置されるリング６１を備え、開口１３、１９の回りに、漏斗効果を生じ且つ使用者の手を案内する下向き形状をもたらすのがよい。
【００２７】
特に、図２を参照すると、装置１０は、一体式切断工具５０をビン１内に更に含むことができ、一体式切断工具５０は、例えば、支持体３５の横部材４５に取付けられ、且つ二つの離間した保護フィンガー５４間に配置されたブレード５２を含むことができ、二つの離間した保護フィンガー５４は、使用者の指がブレード５２に到達するのを防ぐが、しかしそれでもなおブレード５２で切断されるべきチューブ１８の一部分をフィンガー５４間に挿入させるように大きさが決められる。
【００２８】
装置を使用に備えるために、図１を参照すると、使用者は、カバー１１を開き、可撓性チューブ１８の先端縁５１を取って、先端縁５１をノット５３に結び、ノット５３を押して、領域３３を越え、閉鎖機構１５をちょうど越えるようにする。変形例として、ノット５３を有するチューブ端は、例えば、筐体２にアクセスするために頂部分３を回動させて開き、そしてノット５３付きのチューブ端を閉鎖機構２５を通ってビンの底部まで引っ張ることによって、ビン１の底部まで引き下げることができる。次いで、頂部分３を、底部分５と再び係合させる。従って、一定長さの空の可撓性チューブ１８は、底部まで延び、今や、使い捨て物体５５を閉鎖機構からチューブの中に受け入れる準備ができている。従って、使い捨て物体がチューブの中に入れられるときフィルム材料は、カセットから引っ張られない。
【００２９】
使用中及び図３を参照すると、使い捨て物体５５を詰める必要があるとき、装置１０の蓋１１を持ち上げ、それによって開口１３にアクセスする。詰められるべき使い捨て物体５５を、開口１３の中へ入れる（この場合には、可撓性チューブ１８のカセット１７は、物体５５を取り囲む）。閉位置で一緒に付勢された閉鎖機構の固定部分２７及び可動部分３１の受け面２７及び３１は、使用者の手の中の使い捨て物体５５を接触領域３３に指し向ける“V”字形を形成する。
【００３０】
図３ないし図５に示すように、使用者は、使い捨て物体５５を矢印５６で示するように下向き方向に押す。可動部分３１の傾斜受け面３４は、可動部分を図４ないし図５に矢印５７で示す滑り移動を通して、ばね４９の力に抗して、固定部分２７（図３）と接触しているその閉位置からその開位置（図４ないし図５）まで押すように下向き力がスロット３７の方向に沿って容易に変換されるのを助ける。可動部分３１は、使い捨て物体５５に加えられる力によって移動されるので、使い捨て物体５５が通り抜けるのに必要なだけ滑り、可動部分３１の移動によって引き起される開口のほとんどが、開口１３を通る臭気の伝播を最小にするように、使い捨て物質５５によって塞がれる。
【００３１】
図６を参照すると、一旦、使い捨て物体５５が可動部分３１の頂点３２を通り越したら、使用者は、使い捨て物体５５を放して使用者の手を引き抜く。可動部分３１は、ばね４９の作用のもとに、矢印５８で示した滑り移動により閉位置に迅速に戻り、物体５５を可撓性チューブ１８内に効果的に密封する。頂点２９より下の固定部分２７の湾曲輪郭、そしてより重要には、頂点３２より下の可動部分３１の湾曲輪郭は、下方に押す力を適用するために可動部分３１が閉位置に戻るときに、抵抗がある場合には、使い捨て物体５５を更に押し下げるのを助ける。勿論、チューブが引き出されたならば、使い捨て物体は、先に説明したように、チューブの中へ重力によって下方に向く。
【００３２】
各々の、詰められるべき新しい使い捨て物体５５毎に、工程が繰り返され、毎回、使い捨て物体を、筐体２内の既に引き出された長さの可撓性チューブ１８内に落下させ、或いは筐体２が可撓性フィルムチューブ１８の物体充満部分を収容して一杯になるまで、使い捨て物体が装置１０の内側のチューブの中へ降下すると他の使い捨て物体を収容するために可撓性チューブ１８の更なる長さを引き出す。頂部分３を、底部分５から離れるように回動させる。次いで、可撓性チューブ１８を、例えば、設置された切断工具５０を用いて、切断して、これを結んでビン１から取り出すことができる実質的に密封された小袋を形成する。上述したように再び装置１０を用いるために、頂部分３を元の状態に回動させて底部分５と係合させる。
【００３３】
上記したように、フィルムが臭気障壁を有するプラスチックフィルムカセットを用いることによって、使用中に、ビン内の蓄積した軽い臭気をかなり減じる。しかしながら、ビンの頂部３を開いて一杯になったチューブ部分を取り出すときに、蓄積した軽い臭気が放出され、そしてこれが悪臭をもたらすことがある。係る軽い臭気の蓄積を防ぐために、装置は、図８に示すように装置の底部端に及び頂部端の近くに、それぞれ或い他の都合のよい場所に、配置された換気スロット６０及び６１を備えることができる。万一フィルムチューブの周りに臭気の漏れがあるならば、これは一定の換気に備える。従って、悪臭は、蓄積して、ビンの頂部分３を開くことによって放出さる悪臭濃度を増すことができない。
【００３４】
本発明の利点は、可撓性チューブ１８を密封するほんの少数の部品での簡単な構造のウェッジ形閉鎖機構２５の使用を含む。機構２５は、装置１０の複雑性を多いに減じ、組立体を簡単にし、且つ従来技術のデバイスよりも少ない量の可撓性チューブ１８の使用を可能にする。更に、可動部分３１のコースをある角度にすることは、可動部分３１を付勢するのに必要な力に対して少しの水平隙間の最適化を可能にする。最後に、（断面でわかるように）機構の個々の部分の形状は、使い捨て物体が“上の方に戻ってくる”のを防止し、即ち、一旦、使い捨て物体が圧力下で挿入されてフィルム材料を引っ張ると、使い捨て物体は、閉鎖機構によって可撓性チューブに留まるようにされる。
【００３５】
上述したように、部分３１及び２７、特に受け面２８、３４は、交互になった丸頂点及び谷を有し、人間の指に一致するように概ね寸法決めされ、図７に示すように、手で可撓性チューブの中へ使い捨て物体を入れやすくする。
【００３６】
上述した本発明の実施形態は、例示のものである。従って、当業者は、上記記述が説明のためだけであり、且つ本発明の精神から逸脱することなくいろいろな変形構成及び変更が考え出される、ということを理解するであろう。従って、本発明は、添付した特許請求の範囲内にある全ての係る構成、変更及び変形を包含するものである。
【図面の簡単な説明】
【００３７】
【図１】図１は、本発明の特定の実施形態による装置の断面図である。
【図２】図２は、外壁の一部分を省略した図１の装置の斜視図である。
【図３】図３は、図１の装置の断面図であり、装置内への使い捨て物体の挿入の段階を示す。
【図４】図４は、図１の装置の断面図であり、使い捨て物体の挿入によって装置の閉鎖機構が開位置へ移動される図３に示した段階に続く段階を示す。
【図５】図５は、外壁の一部を省略した図４に示す装置及び段階の斜視図である。
【図６】図６は、閉鎖機構が閉位置に戻される、図４に示した段階に続く段階を示す、。図１の装置の断面図である。
【図７】図７は、閉鎖機構が開位置と閉位置との間に配置される、図１の装置の平面図である。
【図８】図８は、その換気の特徴を示す装置の背面図である。
【符号の説明】
【００３８】
１  ビン
２  筐体
３、２１  頂部分
４、６  外壁
５、２３  底部分
７  ヒンジ部材
９  押しボタンラッチ
１０  装置
１１  蓋
１２  頂部環状フランジ
１３  開口
１４  チューブ状垂直壁
１５  ホルダー
１６  底部環状フランジ
１７  カセット
１８  プラスチックフィルムチューブ
１９  中央開口
２５  閉鎖機構
２７  固定部分
２８、３４  受け面
２９、３２  頂点
３１  可動部分
３３  領域
３５  支持装置
３７  スロット
３９  垂直壁
４０  底部傾斜縁
４１  底部断片
４３  壁部材
４５  横部材
４９  つる巻きばね
５０  統合切断工具
５１  先端縁
５３  ノット
【図１】
2009520658.tif 000003
【図２】
2009520658.tif 000004
【図３】
2009520658.tif 000005
【図４】
2009520658.tif 000006
【図５】
2009520658.tif 000007
【図６】
2009520658.tif 000008
【図７】
2009520658.tif 000009
【図８】
2009520658.tif 000010
【国際調査報告】
2009520658.tif 000011
2009520658.tif 000012
2009520658.tif 000013
2009520658.tif 000014